(57)【要約】【課題】有価媒体を収納する場合に、操作員によって入力された有価媒体の種別情報を効率良く確認すること。【解決手段】有価媒体処理装置５００は、投入された損券を一枚ずつ繰り出して損券収納部４０、４２まで搬送する途中で、撮像部１６により損券の両面を撮像し、入力画像データを取得する。有価媒体処理装置５００は、入力画像データと正規の紙幣の画像データである正券画像データとを比較し、投入された損券の正券画像データに対する適合率を算出する。有価媒体処理装置５００は、投入された複数の損券から取得した複数の入力画像データと、各損券の正券画像データに対する適合率とを対応付けて所定の表示部に一覧表示する。【選択図】図１
2017208020.tif 000002
【特許請求の範囲】
【請求項１】
所定の投入部に投入された有価媒体を撮像部により撮像するとともに、操作員により種別情報が入力された有価媒体を所定の収納部に収納する有価媒体処理装置であって、
前記撮像部により撮像された有価媒体の画像データと該有価媒体の種別情報を記憶する記憶部と、
所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御部と
を有することを特徴とする有価媒体処理装置。
【請求項２】
前記表示制御部は、
前記所定の表示部に一覧表示された複数の有価媒体の画像データのいずれかが選択された場合に、該有価媒体の詳細情報を表示制御する
ことを特徴とする請求項１に記載の有価媒体処理装置。
【請求項３】
前記記憶部に記憶された有価媒体の画像データと、該有価媒体の種別情報によって特定される有価媒体の参照画像データとに基づいて、適合度合いを算出する算出部をさらに備え、
前記表示制御部は、
所定の操作がなされた場合に、前記記憶部に記憶された複数の有価媒体の画像データを、各有価媒体の種別情報及び前記確認支援情報としての適合度合いとともに所定の表示部に一覧表示する
ことを特徴とする請求項１又は２に記載の有価媒体処理装置。
【請求項４】
前記表示制御部は、
前記適合度合いが所定値以下又は所定値未満である場合に、該適合度合いに対応する画像データを他の画像データと異なる態様で前記表示部に表示制御する
ことを特徴とする請求項３に記載の有価媒体処理装置。
【請求項５】
前記表示制御部は、
前記有価媒体の種別情報が修正されていた場合に、該有価媒体の画像データを他の画像データと異なる態様で前記表示部に表示制御する
ことを特徴とする請求項１又は２に記載の有価媒体処理装置。
【請求項６】
前記表示制御部は、
所定の絞込条件が設定された場合に、前記記憶部に記憶された複数の有価媒体の画像データ及び各有価媒体の種別情報のうち、該絞込条件を満たす有価媒体の画像データ及び該有価媒体の種別情報を、該有価媒体の種別情報の確認に利用可能な確認支援情報とともに所定の表示部に一覧表示する
ことを特徴とする請求項１又は２に記載の有価媒体処理装置。
【請求項７】
前記表示制御部は、
所定の識別情報が絞込条件として設定された場合に、前記記憶部に記憶された複数の有価媒体の画像データ及び各有価媒体の種別情報のうち、該種別情報に合致する有価媒体の画像データ及び該有価媒体の種別情報を、該種別情報の正規な有価媒体の画像データとともに所定の表示部に一覧表示する
ことを特徴とする請求項６に記載の有価媒体処理装置。
【請求項８】
所定の投入部に投入された有価媒体を撮像部により撮像するとともに、操作員により種別情報が入力された有価媒体を所定の収納部に収納する有価媒体処理装置と、該有価媒体処理装置と通信可能に接続された管理装置とを有する有価媒体管理システムであって、
前記管理装置は、
前記撮像部により撮像された有価媒体の画像データと該有価媒体の種別情報を記憶する記憶部と、
所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御部と
を有することを特徴とする有価媒体処理システム。
【請求項９】
所定の投入部に投入された有価媒体を撮像部により撮像するとともに、操作員により種別情報が入力された有価媒体を所定の収納部に収納する有価媒体処理装置における有価媒体処理方法であって、
前記撮像部により撮像された有価媒体の画像データと該有価媒体の種別情報を記憶部に格納する工程と、
所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御工程と
を含んだことを特徴とする有価媒体処理方法。
【請求項１０】
所定の投入部に投入された有価媒体を撮像部により撮像するとともに、操作員により種別情報が入力された有価媒体を所定の収納部に収納する有価媒体処理装置であって、
前記撮像部により撮像された有価媒体の画像データと該有価媒体の種別情報を記憶する記憶部と、
所定の操作がなされた場合に、前記記憶部に記憶された複数の有価媒体の画像データのうち、同一の種別情報に対応付けられた複数の有価媒体の画像データを所定の表示部に一覧表示する表示制御部と
を有することを特徴とする有価媒体処理装置。
【発明の詳細な説明】
【技術分野】
【０００１】
この発明は、硬貨、紙幣、小切手等の有価媒体を処理する有価媒体処理装置、有価媒体処理システム及び有価媒体処理方法に関し、特に、有価媒体を収納する場合に、操作員によって入力された有価媒体の種別情報を効率良く確認することができる有価媒体処理装置、有価媒体処理システム及び有価媒体処理方法に関する。
【背景技術】
【０００２】
従来、銀行等の金融機関には、いわゆる出納機と呼ばれる貨幣処理システムが設けられることが多い。安全性、確実性及び省力化を図るためである。この出納機は、有価媒体の入出金処理及び有価媒体に係る種々の処理を実行する。
【０００３】
ここで、金融機関の操作員が、破れた紙幣、一部が欠損した紙幣等の有価媒体（以下、「損券」と総称する）又は小切手等の有価媒体を出納機に投入した場合に、エラーが発生する可能性がある。このため、出納機の一部を形成する紙幣入出金機に入金することができない有価媒体を入金する有価媒体処理装置を設け、この有価媒体処理装置に対して損券又は小切手等の有価媒体を入金する技術が知られている（例えば、特許文献１を参照）。
【０００４】
かかる有価媒体処理装置が有価媒体を受け付けたならば、撮像部によって有価媒体の画像データを取得するとともに、操作員からの金額、新旧の別、価値情報などの券種情報の入力を受け付け、画像データと入力結果を表示する。そして、表示内容を確認した操作員により所定の確定操作がなされたならば、有価媒体処理装置は有価媒体を収納庫に収納する。また、上位者は、業務終了時等の所定のタイミングで、収納庫に収納された有価媒体の画像データを参照しつつ操作員によって入力された券種情報の正当性を確認して承認処理することになる。
【先行技術文献】
【特許文献】
【０００５】
【特許文献１】特開２０１４−７１５２３号公報
【発明の概要】
【発明が解決しようとする課題】
【０００６】
しかしながら、上記の特許文献１に代表される従来の有価媒体処理装置では、上位者や操作員が入力された券種情報を確認する場合などには、収納庫に収納された有価媒体の画像データを一枚ずつ操作表示部に表示して確認する必要があるため、収納庫に多数の有価媒体が収納される状況においては、かかる券種情報の確認作業に時間を要する。
【０００７】
その結果、操作員が複数の有価媒体を含む１取引分の券種情報を確認する場合や、上位者が業務終了時等の所定のタイミングで多数の有価媒体の確認を行う場合に、操作員又は上位者の人的労力を要する結果となり、効率的ではないという問題がある。
【０００８】
これらのことから、有価媒体処理装置に有価媒体を収納する場合に、入力された有価媒体の券種情報をいかに効率良く確認できるようにするかが重要な課題となっている。特に、有価媒体処理装置に収納した有価媒体数が多ければ多いほど、かかる課題が重要となる。また、かかる課題は、紙幣などの券種を確認する場合に限らず、硬貨など他の有価媒体について種別情報を確認する場合にも同様に生ずるものである。
【０００９】
本発明は、上記の従来技術の課題を解決するためになされたものであって、有価媒体を収納する場合に、入力された有価媒体の種別情報を効率良く確認することができる有価媒体処理装置、有価媒体処理システム及び有価媒体処理方法を提供することを目的とする。
【課題を解決するための手段】
【００１０】
上述した課題を解決し、目的を達成するため、本発明は、所定の投入部に投入された有価媒体を撮像部により撮像するとともに、操作員により種別情報が入力された有価媒体を所定の収納部に収納する有価媒体処理装置であって、前記撮像部により撮像された有価媒体の画像データと該有価媒体の種別情報を記憶する記憶部と、所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御部とを有することを特徴とする。
【００１１】
また、本発明は、上記発明において、前記表示制御部は、前記所定の表示部に一覧表示された複数の有価媒体の画像データのいずれかが選択された場合に、該有価媒体の詳細情報を表示制御することを特徴とする。
【００１２】
また、本発明は、上記発明において、前記記憶部に記憶された有価媒体の画像データと、該有価媒体の種別情報によって特定される有価媒体の参照画像データとに基づいて、適合度合いを算出する算出部をさらに備え、前記表示制御部は、所定の操作がなされた場合に、前記記憶部に記憶された複数の有価媒体の画像データを、各有価媒体の種別情報及び前記確認支援情報としての適合度合いとともに所定の表示部に一覧表示することを特徴とする。
【００１３】
また、本発明は、上記発明において、前記表示制御部は、前記適合度合いが所定値以下又は所定値未満である場合に、該適合度合いに対応する画像データを他の画像データと異なる態様で前記表示部に表示制御することを特徴とする。
【００１４】
また、本発明は、上記発明において、前記表示制御部は、前記有価媒体の種別情報が修正されていた場合に、該有価媒体の画像データを他の画像データと異なる態様で前記表示部に表示制御することを特徴とする。
【００１５】
また、本発明は、上記発明において、前記表示制御部は、所定の絞込条件が設定された場合に、前記記憶部に記憶された複数の有価媒体の画像データ及び各有価媒体の種別情報のうち、該絞込条件を満たす有価媒体の画像データ及び該有価媒体の種別情報を、該有価媒体の種別情報の確認に利用可能な確認支援情報とともに所定の表示部に一覧表示することを特徴とする。
【００１６】
また、本発明は、上記発明において、前記表示制御部は、所定の識別情報が絞込条件として設定された場合に、前記記憶部に記憶された複数の有価媒体の画像データ及び各有価媒体の種別情報のうち、該種別情報に合致する有価媒体の画像データ及び該有価媒体の種別情報を、該種別情報の正規な有価媒体の画像データとともに所定の表示部に一覧表示することを特徴とする。
【００１７】
また、本発明は、所定の投入部に投入された有価媒体を撮像部により撮像するとともに、操作員により種別情報が入力された有価媒体を所定の収納部に収納する有価媒体処理装置と、該有価媒体処理装置と通信可能に接続された管理装置とを有する有価媒体管理システムであって、前記管理装置は、前記撮像部により撮像された有価媒体の画像データと該有価媒体の種別情報を記憶する記憶部と、所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御部とを有することを特徴とする。
【００１８】
また、本発明は、所定の投入部に投入された有価媒体を撮像部により撮像するとともに、操作員により種別情報が入力された有価媒体を所定の収納部に収納する有価媒体処理装置における有価媒体処理方法であって、前記撮像部により撮像された有価媒体の画像データと該有価媒体の種別情報を記憶部に格納する工程と、所定の操作がなされた場合に、前記記憶部に記憶された複数の有価媒体の画像データ及び各有価媒体の種別情報を、各有価媒体の種別情報の確認に利用可能な確認支援情報とともに所定の表示部に一覧表示する表示制御工程とを含んだことを特徴とする。
【００１９】
また、本発明は、所定の投入部に投入された有価媒体を撮像部により撮像するとともに、操作員により種別情報が入力された有価媒体を所定の収納部に収納する有価媒体処理装置であって、前記撮像部により撮像された有価媒体の画像データと該有価媒体の種別情報を記憶する記憶部と、所定の操作がなされた場合に、前記記憶部に記憶された複数の有価媒体の画像データのうち、同一の種別情報に対応付けられた複数の有価媒体の画像データを所定の表示部に一覧表示する表示制御部とを有することを特徴とする。
【発明の効果】
【００２０】
本発明によれば、所定の投入部に投入された有価媒体を撮像部により撮像し、撮像された有価媒体の画像データと該有価媒体の種別情報を記憶し、所定の操作がなされた場合に、記憶部に記憶された複数の有価媒体の画像データ及び各有価媒体の種別情報を、各有価媒体の種別情報の確認に利用可能な確認支援情報とともに所定の表示部に一覧表示するよう構成したので、有価媒体を収納する場合に、操作員によって入力された有価媒体の種別情報を効率良く確認することができる。
【図面の簡単な説明】
【００２１】
【図１】図１は、本実施例に係る有価媒体処理装置の特徴を説明するための説明図である。
【図２】図２は、本実施例に係る有価媒体処理装置を含む貨幣処理システムを示す全体構成図である。
【図３】図３は、図２に示す貨幣処理システムの機能ブロック図である。
【図４】図４は、有価媒体処理装置の内部構成図である。
【図５】図５は、図４に示す有価媒体処理装置の機能ブロック図である。
【図６】図６は、図５に示した損券入金データの一例の説明図である。
【図７】図７は、損券を入金する場合の有価媒体処理装置の処理手順を示すフローチャートである。
【図８】図８は、上位者による承認時の有価媒体処理装置の処理手順を示すフローチャートである。
【図９】図９は、上位者による承認時の画面例の説明図である。（その１）
【図１０】図１０は、上位者による承認時の画面例の説明図である。（その２）
【図１１】図１１は、上位者による承認時の画面例の説明図である。（その３）
【図１２】図１２は、上位者による承認時の画面例の説明図である。（その４）
【図１３】図１３は、入金時に一覧表示による確認を行う場合の処理手順を示すフローチャートである。
【図１４】図１４は、上位管理装置を有するシステム構成の説明図である。
【図１５】図１５は、硬貨の種別の確認を行う硬貨処理装置の外観を示す斜視図である。
【図１６】図１６は、硬貨処理装置の機能ブロック図である。
【図１７】図１７は、同一券種の入力画像データの一覧表示の具体例である。
【発明を実施するための形態】
【実施例】
【００２２】
以下に添付図面を参照して、本実施例に係る有価媒体処理装置、有価媒体処理システム及び有価媒体処理方法について説明する。
【００２３】
＜用語の定義＞
まず、本実施例で用いる用語について説明する。本実施例に示す「有価媒体」は、損券や旧券等を含む紙幣と、紙幣以外の特定の有価証券とを含むものである。この「損券」とは、損傷又は汚損の程度が大きい紙幣を意味し、「旧券」とは、現在発行されている紙幣よりも発行された年代が古い紙幣を意味する。いずれも、後述するバラ紙幣処理装置１００等で自動的に処理することができない、もしくは困難な紙幣である。また、「特定の有価証券」とは、小切手や手形等の予め設定された種類の有価証券を意味する。なお、「新券」とは、中央銀行から銀行等の金融機関に配送され、未だ市場流通していない紙幣を意味する。
【００２４】
「券種」とは、紙幣の金種及び新旧に関する種類のことをいい、発行年代を示すアルファベット（Ａ〜Ｅ）と、金種とを兼ね合わせたものをいう。例えば、券種「Ｄ一万円券」の後に発行された金種「一万円」の紙幣の券種が「Ｅ一万円券」である。
【００２５】
＜有価媒体処理装置の特徴＞
本実施例に係る有価媒体処理装置５００の特徴について説明する。図１は、本実施例に係る有価媒体処理装置５００の特徴を説明するための説明図である。ここでは、貨幣処理システム１の一部をなすバラ紙幣処理装置１００に収納されなかった損券を有価媒体処理装置５００に入金する場合を示すこととする。
【００２６】
図１に示すように、有価媒体処理装置５００は、投入された損券を一枚ずつ繰り出して損券収納部４０、４２まで搬送する途中で、撮像部１６により損券の両面を撮像し、入力画像データを取得する。有価媒体処理装置５００は、正規の紙幣の画像データである正券画像データを予め記憶しており、入力画像データと正券画像データとを比較することで投入された損券の正券画像データに対する適合率を算出する。なお、この正券画像データは、特許請求の範囲の「参照画像データ」に対応する。
【００２７】
ここで、入力画像データとの比較には、投入された損券と同一券種の正券画像データを用いる。投入された損券の券種は、入力画像データに対する画像認識等を用いて特定され、操作員によって確定入力される。但し、損券には汚れや欠損がある為、券種を特定できなかったり、誤った券種に特定された場合があり、操作員は画像認識等により識別された券種を修正したり、新たに入力したりすることができる。
【００２８】
有価媒体処理装置５００は、投入された複数の損券から取得した複数の入力画像データと、各損券の正券画像データに対する適合率とを対応付けて記憶する。また、有価媒体処理装置５００は、記憶した複数の入力画像データを所定の表示部に一覧表示させることができる。
【００２９】
図１では、有価媒体処理装置５００が９枚の損券の入力画像データを一覧表示した状態を示している。また、有価媒体処理装置５００は、各入力画像データの表示に券種が「Ｄ一万円券」であることを示す表示「Ｄ券：万」と、適合率の表示とを対応付けている。適合率は、券種の確認に利用可能な確認支援情報の一種として用いることができる。なお、操作員により券種の修正や新たな入力（まとめて「修正」と表現する）が行われた入力画像データについては、適合率に変えて「修正有」との表示を行っている。券種の修正が行われたことを示す表示も、券種の確認の必要性を示す情報であるため、確認支援情報の一種となる。
【００３０】
さらに、有価媒体処理装置５００は、複数の入力画像データのうち、重点的に確認すべき入力画像データについて、他の入力画像データと表示態様を異ならせている。具体的には、適合率が所定値より低い入力画像データと、操作員により券種の修正が行われた入力画像データを強調する表示態様としている。
【００３１】
有価媒体処理装置５００は、一覧表示した複数の入力画像データのいずれかを選択されたならば、選択された入力画像データを拡大して表示する。このため、操作員は、任意の入力画像データについて券面を詳細に確認することができる。
【００３２】
このように、有価媒体処理装置５００は、損券の券面を撮像して入力画像データを取得し、複数の損券から取得した入力画像データを一覧表示するので、投入された複数の損券を効率的に確認することができる。
【００３３】
また、有価媒体処理装置５００は、入力画像データと正券画像データとを比較して適合率を算出し、適合率を確認支援情報として入力画像データとともに表示する。さらに、有価媒体処理装置５００は、複数の入力画像データのうち、重点的に確認すべき入力画像データについて、他の入力画像データと表示態様を異ならせる。これらのことから、投入された複数の損券をさらに効率的に確認することができる。
【００３４】
＜貨幣処理システム全体の概要＞
次に、本実施例に係る有価媒体処理装置５００を含む貨幣処理システム１について説明する。図２は、本実施例に係る有価媒体処理装置５００を含む貨幣処理システムを示す全体構成図である。ここでは、本実施例に係る有価媒体処理装置５００が貨幣処理システム１の一部をなす場合を示している。
【００３５】
図２に示すように、貨幣処理システム１は、バラ紙幣処理装置１００、束紙幣処理装置２００、バラ硬貨処理装置３００、包装硬貨処理装置４００、有価媒体処理装置５００、操作表示部６００及びプリンタ７００を有する。図２に示すように、バラ紙幣処理装置１００、束紙幣処理装置２００、バラ硬貨処理装置３００、包装硬貨処理装置４００及び有価媒体処理装置５００は並列に配置され一体的に設けられている。
【００３６】
ここで、バラ紙幣処理装置１００及び束紙幣処理装置２００は、装置間で紙幣を受渡可能に構成されている。また、バラ硬貨処理装置３００及び包装硬貨処理装置４００は、装置間で硬貨を受渡可能に構成されている。また、バラ硬貨処理装置３００及び包装硬貨処理装置４００の上面に、操作表示部６００及びプリンタ７００が配設されている。
【００３７】
操作表示部６００は、タッチパネル等の入出力デバイスであり、各種情報の入力又は各種情報の表示出力を行うことができる。操作員は、この操作表示部６００を用いて有価媒体の入金操作及び新券の出金操作を行う。なお、ここでは１台の操作表示部６００のみを設けた場合を図示したが、複数台の操作表示部６００を設け、入出力内容に応じて使い分けることもできる。
【００３８】
バラ紙幣処理装置１００は、その内部に、バラ紙幣を金種別に収納できるようになっており、操作員は、このバラ紙幣処理装置１００を利用してバラ紙幣の入金処理又は出金処理を行う。
【００３９】
また、束紙幣処理装置２００の内部には束紙幣形成部（図示せず）が設けられており、バラ紙幣処理装置１００から所定の枚数（例えば、１００枚）のバラ紙幣が束紙幣処理装置２００に送られると、この束紙幣形成部により束紙幣が形成される。束紙幣形成部により形成された束紙幣は、束紙幣処理装置２００から機体外に投出される。
【００４０】
バラ硬貨処理装置３００は、その内部に、バラ硬貨を金種別に収納できるようになっており、このバラ硬貨処理装置３００を利用してバラ硬貨の入金処理や出金処理を行う。また、包装硬貨処理装置４００の内部には包装硬貨形成部（図示せず）が設けられており、バラ硬貨処理装置３００から所定の枚数（例えば、５０枚）のバラ硬貨が包装硬貨処理装置４００に送られると、包装硬貨形成部により包装硬貨が形成される。包装硬貨形成部により形成された包装硬貨は、包装硬貨処理装置４００から機体外に投出される。
【００４１】
また、バラ紙幣処理装置１００は、損券、旧券又は紙幣以外の有価媒体がバラ紙幣処理装置１００の機体内に投入された場合には、このバラ紙幣処理装置１００の内部に収納されず、機体外に排出される。かかるバラ紙幣処理装置１００で受け付けることができない損券、旧券又は紙幣以外の有価媒体は、有価媒体処理装置５００に投入され、有価媒体処理装置５００の機体内に収納される。
【００４２】
図３は、図２に示す貨幣処理システム１の機能ブロック図である。図３に示すように、貨幣処理システム１は、図２に示すバラ紙幣処理装置１００、束紙幣処理装置２００、バラ硬貨処理装置３００、包装硬貨処理装置４００及び有価媒体処理装置５００を有する。
【００４３】
また、貨幣処理システム１は、上記の各装置に共用される操作表示部６００と、プリンタ７００と、ＲＯＭ（Ｒｅａｄ  Ｏｎｌｙ  Ｍｅｍｏｒｙ）８０４と、ＲＡＭ（Ｒａｎｄｏｍ  Ａｃｃｅｓｓ  Ｍｅｍｏｒｙ）８０６と、ハードディスク装置等の記憶部８０８と、操作員のＩＤ情報の入力装置であるＩＤカードリーダ８１０と、通信部８０２と、各構成部を制御する制御部８００とを有する。
【００４４】
制御部８００は、貨幣処理システム１全体を制御する制御部であり、バラ紙幣処理装置１００、束紙幣処理装置２００、バラ硬貨処理装置３００、包装硬貨処理装置４００及び有価媒体処理装置５００を制御する。具体的には、この制御部８００は、ＲＯＭ８０４及び記憶部８０８内のプログラムをロードして実行し、ＲＡＭ８０６をワークエリアとして使用する。なお、記憶部８０８には、貨幣処理システム１の設定情報、貨幣処理システム１を構成する各装置における貨幣の処理状況や在高に関する情報等が記憶される。
【００４５】
操作表示部６００は、タッチパネル等の入出力デバイスであり、操作員が貨幣処理システム１の各装置に対して様々な指令を与える入力装置として機能するとともに、貨幣処理システム１を構成する各装置における貨幣の処理状況や在高に関する情報等を表示する出力装置としても機能する。
【００４６】
プリンタ７００は、各種のデータを用紙に印字する出力デバイスであり、例えば、貨幣処理システム１を構成する各装置における貨幣の処理状況や在高に関する情報等が印字される。
【００４７】
通信部８０２は、ホストコンピュータ等の外部装置との間で通信を行うインタフェース部である。ＩＤカードリーダ８１０は、操作員が所持するＩＤカードのＩＤ情報の読み取りを行うデバイスである。このＩＤカードリーダ８１０により読み取られたＩＤ情報に基づいて、操作員の権限等が認証される。
【００４８】
＜有価媒体処理装置の構成＞
次に、図１及び図２に示した有価媒体処理装置５００について説明する。この有価媒体処理装置５００は、損傷又は汚損の程度が大きい紙幣（損券）、現在発行されている紙幣よりも発行された年代が古い紙幣（旧券）、小切手等の有価媒体を処理する装置であり、図２に示すバラ紙幣処理装置１００に収納されずに機体外に排出された損券や小切手等の有価媒体を処理する場合に利用される。また、この有価媒体処理装置５００には新券が収納されており、この新券を出金する場合に利用される。
【００４９】
図４は、有価媒体処理装置５００の内部構成図である。図中の左側の側面が有価媒体処理装置５００の前面となっており、図中の右側の側面が有価媒体処理装置５００の背面となっている。
【００５０】
図４に示すように、この有価媒体処理装置５００には、有価媒体を機体内に投入するための投入部１０と、機体内に収納された新券等を機体外に投出するための払出部６０とが設けられている。この投入部１０及び払出部６０は、有価媒体処理装置５００の機体前面（図４における左側の側面）に設けられている。
【００５１】
また、投入部１０には繰出機構１２が設けられており、操作員によって投入部１０に束状態で投入された有価媒体は、この繰出機構１２により１枚ずつ機体内に繰り出される。また、図４に示すように、有価媒体処理装置５００の機体内には搬送部１４が設けられており、投入部１０から繰出機構１２により１枚ずつ繰り出された有価媒体は、搬送部１４により１枚ずつ搬送される。
【００５２】
また、繰出機構１２下流の搬送部１４には撮像部１６が設けられている。この撮像部１６は、有価媒体処理装置５００の機体内に投入された有価媒体の表裏両面を撮像して画像データを取得する。
【００５３】
また、搬送部１４には一時保留部２０が設けられており、有価媒体処理装置５００の機体内に投入された有価媒体は、一時保留部２０に一時的に保留される。なお、この一時保留部２０には、新券収納部５０に収納された新券を払い出す場合に、異常が検知された新券についても一時保留される。
【００５４】
この一時保留部２０は、有価媒体をテープに挟んで巻き取るテープ巻取方式のものである。具体的には、この一時保留部２０は、正逆両方向に回転可能なドラム２０ａを有しており、このドラム２０ａによって一対のテープの巻き取り及び送り出しが行われる。これにより、搬送部１４から一時保留部２０に送られた有価媒体は、一対のテープの間に挟まれた状態で１枚ずつ順次ドラム２０ａにより巻き取られて収納される。また、ドラム２０ａを逆転させると、巻き取られた有価媒体が１枚ずつ繰り出されて、搬送部１４に送り出される。
【００５５】
また、有価媒体処理装置５００の機体内には、小切手や手形等の特定の有価証券を収納する特定有価証券収納部３０と、損券や旧券を収納する損券収納部４０、４２とがそれぞれ設けられている。具体的には、特定有価証券収納部３０は、第１の収納部３０ａ、第２の収納部３０ｂ及び第３の収納部３０ｃの３つの収納部から構成されている。
【００５６】
第１の収納部３０ａには、貨幣処理システム１が設置されている銀行と同じ銀行における他の支店で発行された小切手等が収納される。また、第２の収納部３０ｂと第３の収納部３０ｃには、貨幣処理システム１が設置されている銀行とは異なる銀行で発行された小切手等が収納される。例えば、第２の収納部３０ｂには、貨幣処理システム１が設置されている場所から比較的近い場所で発行された小切手等が収納され、第３の収納部３０ｃには、貨幣処理システム１が設置されている場所から比較的遠い場所で発行された小切手等が収納される。
【００５７】
特定有価証券収納部３０の各収納部３０ａ、３０ｂ及び３０ｃは集積方式の収納部であり、搬送部１４からこれらの収納部３０ａ、３０ｂ及び３０ｃに送られた小切手等は、すでに収納部３０ａ、３０ｂ、３０ｃに収納された小切手等の上に積み重ねられるようにして収納される。
【００５８】
損券収納部４０、４２には、損券が収納される。例えば、搬送補助シートを適用された損券が損券収納部４０に収納され、搬送補助シートを適用されない損券が損券収納部４２に収納される。
【００５９】
損券収納部４０は、集積方式の収納部であり、搬送部１４から損券収納部４０に送られた損券は、既に損券収納部４０に収納されている損券の上に積み重ねられるようにして収納される。
【００６０】
損券収納部４２は、テープ巻取方式の収納部である。具体的には、この損券収納部４２は、上記の一時保留部２０と同様に、正逆両方向に回転可能なドラム４２ａを有している。そして、搬送部１４から損券収納部４２に送られた損券は、一対のテープの間に挟まれた状態で１枚ずつ順次ドラム４２ａにより巻き取られて収納される。また、ドラム４２ａを逆転させると、巻き取られた損券が１枚ずつ繰り出されて、搬送部１４に送出される。
【００６１】
図４に示すように、小切手等の特定の有価証券を収納する特定有価証券収納部３０は、損券を収納する損券収納部４０、４２の上方に設けられる。また、一時保留部２０は、特定有価証券収納部３０や損券収納部４０、４２の上方に設けられる。
【００６２】
また、有価媒体処理装置５００の機体内には、新券を収納する新券収納部５０が設けられる。具体的には、この新券収納部５０は、第１の収納部５０ａ、第２の収納部５０ｂ、第３の収納部５０ｃ及び第４の収納部５０ｄを有する。
【００６３】
例えば、第１の収納部５０ａには新券の１万円札が収納され、第２の収納部５０ｂには新券の千円札が収納され、第３の収納部５０ｃには新券の五千円札が収納される。また、第４の収納部５０ｄに収納される新券の金種は、操作員により選択される。これらの各収納部５０ａ、５０ｂ、５０ｃ、５０ｄには、それぞれ繰出機構５２ａ、５２ｂ、５２ｃ、５２ｄが設けられ、収納部５０ａ、５０ｂ、５０ｃ、５０ｄに収納されている新券は、それぞれ繰出機構５２ａ、５２ｂ、５２ｃ、５２ｄにより搬送部１４に１枚ずつ繰り出される。この新券収納部５０は、図４に示すように、特定有価証券収納部３０や損券収納部４０の機体前方（図４における左側）に設けられる。
【００６４】
払出部６０は、搬送部１４に接続されている。新券収納部５０から繰り出された新券は、この搬送部１４によって払出部６０に搬送され、この払出部６０で積み重ねるようにして投出される。この払出部６０には羽根車６２が設けられており、搬送部１４から羽根車６２に送られた新券は、羽根車６２を形成する一対の羽根の間に挟まれた状態で該羽根車６２が図４における反時計回りの方向に回転することにより払出部６０に送られる。かかる羽根車６２を設けることにより、払出部６０に集積される新券を整列させることができる。
【００６５】
また、払出部６０にはシャッタ６１ａが設けられており、操作員は、このシャッタ６１ａが開放状態となったときに、払出部６０に集積された新券を取り出すことができる。また、払出部６０には抜き取り検知部６１ｂが設けられており、払出部６０に集積された新券が当該払出部６０から抜き取られたことを検知する。
【００６６】
図４に示すように、有価媒体処理装置５００の機体内で有価媒体を搬送する搬送部１４には、第１の搬送部１４ａ及び第２の搬送部１４ｂが含まれる。第１の搬送部１４ａは、投入部１０から機体内に投入された有価媒体を、一時保留部２０、特定有価証券収納部３０、損券収納部４０に搬送する。第２の搬送部１４ｂは、新券収納部５０に収納された新券を払出部６０に搬送する。
【００６７】
ここで、第１の搬送部１４ａにおける有価媒体の搬送路と、第２の搬送部１４ｂにおける新券の搬送路とは、互いに独立に設けられる。すなわち、第１の搬送部１４ａは図４に示す仮想線Ｌの右側に設けられ、第２の搬送部１４ｂは仮想線Ｌの左側に設けられる。第１の搬送部１４ａ及び第２の搬送部１４ｂは、接続箇所１４ｐで接続されているが、それ以外の箇所では互いに独立している。
【００６８】
また、搬送部１４における第２の搬送部１４ｂには簡易識別部６４が設けられている。簡易識別部６４は、新券収納部５０から第２の搬送部１４ｂに繰り出された新券の金種を識別する。この簡易識別部６４によって新券の異常が検知されたならば、この新券は第１の搬送部１４ａ、接続箇所１４ｐ及び第２の搬送部１４ｂを経由して一時保留部２０に一時保留される。新券の繰り出しを行う場合に、複数枚の新券が繰り出されてしまい、これにより異常が発生する場合が多いためである。なお、新券の出金が終了したならば、この一時保留部２０に一時保留された新券は、元の新券収納部５０に戻される。
【００６９】
また、有価媒体処理装置５００の前面（図４における左側の側面）には扉１８が設けられており、特定の権限を有する者が、この扉１８を開けて有価媒体処理装置５００の機体内部にアクセスできるようになっている。この扉１８を開くことにより、新券収納部５０への新券の補充又は新券収納部５０からの新券の取り出しを行うことができる。
【００７０】
＜有価媒体処理装置の機能及び動作＞
次に、有価媒体処理装置５００の機能について説明する。図５は、図４に示す有価媒体処理装置５００の機能ブロック図である。図５に示すように、この有価媒体処理装置５００には制御部８０が設けられており、この制御部８０により有価媒体処理装置５００の各構成部位が制御される。
【００７１】
制御部８０には、図４に示した撮像部１６、搬送部１４、特定有価証券収納部３０、損券収納部４０，４２、新券収納部５０、投入部１０、払出部６０、一時保留部２０、記憶部８２及び通信部８４等の構成部位が接続される。
【００７２】
制御部８０は、撮像部１６、搬送部１４、特定有価証券収納部３０、損券収納部４０，４２、新券収納部５０、投入部１０、払出部６０、一時保留部２０等の各構成部位に指令信号を送ることにより各構成部位を制御する。また、制御部８０は、通信部８４を介して貨幣処理システム１の制御部８００に対して信号の送受信を行う。
【００７３】
記憶部８２は、ハードディスク装置又は不揮発性メモリ等の記憶デバイスであり、有価媒体処理装置５００に関する設定情報、特定有価証券収納部３０、損券収納部４０，４２、新券収納部５０等に収納された有価媒体の在高等に関する情報、一時保留部２０のテープの送り量に関する情報などを記憶する。正規の紙幣の画像データである正券画像データ８２ａは、この記憶部８２に格納される。また、投入された損券の入力画像データや適合率などは、損券入金データ８２ｂとして記憶部８２に格納されることになる。
【００７４】
制御部８０は、適合率算出部８０ａ及び表示制御部８０ｂを有する。適合率算出部８０ａは、撮像部１６により撮像された入力画像データと、対応する券種の正券画像データ８２ａとを用い、損券の正券に対する適合度合いを示す適合率を算出する処理部である。
【００７５】
表示制御部８０ｂは、記憶部８２に記憶された複数の損券の入力画像データ及び各損券の券種を、各損券の券種の確認に利用可能な確認支援情報とともに操作表示部６００に一覧表示する処理を行う。確認支援情報としては、適合率や修正の有無などを用いることができる。
【００７６】
また、表示制御部８０ｂは、適合率が所定値以下である入力画像データについては、他の入力画像データと異なる態様で操作表示部６００に表示制御することができる。同様に、券種の修正が行われた入力画像データについても、他の入力画像データと異なる態様で操作表示部６００に表示制御することができる。
【００７７】
また、表示制御部８０ｂは、操作表示部６００に一覧表示された複数の損券の入力画像データのいずれかが選択された場合に、該損券の詳細情報を操作表示部６００に表示制御する。
【００７８】
なお、表示制御部８０ｂは、所定の絞込条件が設定されたならば、記憶部８２に記憶された複数の損券の入力画像データ及び各損券の券種のうち、該絞込条件を満たす損券の入力画像データ及び該損券の券種を確認支援情報とともに操作表示部６００に一覧表示することができる。例えば、所定の券種が絞込条件として設定されたならば、該券種に合致する損券の入力画像データを操作表示部６００に表示制御することになる。この他、特定の取引や特定の操作員を指定して絞込条件として用いることができる。
【００７９】
＜データの一例＞
次に、図５に示した損券入金データ８２ｂの一例について説明する。図６は、図５に示した損券入金データ８２ｂの一例の説明図である。図６に示すように、損券入金データ８２ｂは、収納順、媒体コード、券種、入金日時、取引ＩＤ、操作員ＩＤ、入力画像データ、適合率、修正履歴、ステータス、上位者承認などの項目を有する。
【００８０】
収納順は、損券が収納された順序を示し、媒体コードは損券を特定する識別情報である。券種は、投入された損券の券種を示し、入金日時は損券が投入された日時を示す。取引ＩＤは、損券の投入処理の識別情報であり、複数の損券を一括して投入された場合には同一の取引ＩＤが付されることになる。操作員ＩＤは、損券の投入処理を行った操作員の識別情報である。入力画像データは、損券の搬送中に撮像した表面と裏面の画像データである。適合率は、入力画像データと対応する券種の正券画像データ８２ａとの適合度合いを示す。修正履歴は、券種について操作員による修正入力が行われたか否かを示す。ステータスは、損券の状態、すなわち、収納、返却済、回収済などの状態を示す。上位者承認は、投入された損券について、上位者の承認が行われたか否かを示す。
【００８１】
具体的には、図６では、収納順「１」の損券が、媒体コード「Ａ３５７９」、券種「Ｅ一千円券」、入金日時「２０１６/０１/２３  １２：３４」、取引ＩＤ「０１２３５６」、操作員ＩＤ「Ｂ４５６」、適合率「９８％」、修正履歴「無し」、ステータス「収納」、上位者承認「未承認」である状態を示している。
【００８２】
また、収納順「２」の損券が、媒体コード「Ａ３５７８」、券種「Ｅ一万円券」、入金日時「２０１６/０１/２３  １２：３４」、取引ＩＤ「０１２３５６」、操作員ＩＤ「Ｂ４５６」、適合率「９６％」、修正履歴「無し」、ステータス「収納」、上位者承認「未承認」である状態を示している。
【００８３】
また、収納順「３」の損券が、媒体コード「Ａ３５７７」、券種「Ｅ一千円券」、入金日時「２０１６/０１/２３  １１：５５」、取引ＩＤ「０１２３４９」、操作員ＩＤ「Ａ１１１」、適合率「２６％」、修正履歴「無し」、ステータス「収納」、上位者承認「承認済」である状態を示している。
【００８４】
また、収納順「４」の損券が、媒体コード「Ａ３５７６」、券種「Ｅ一万円券」、入金日時「２０１６/０１/２３  １１：２３」、取引ＩＤ「０１２３３５」、操作員ＩＤ「Ｂ４５６」、適合率「９４％」、修正履歴「有り」、ステータス「収納」、上位者承認「承認済」である状態を示している。
【００８５】
＜損券入金時の処理手順＞
次に、損券を入金する場合の有価媒体処理装置５００の処理手順について説明する。図７は、損券を入金する場合の有価媒体処理装置５００の処理手順を示すフローチャートである。
【００８６】
まず、操作員は、自身が所持するＩＤカードをＩＤカードリーダ８１０に読み取らせ（ステップＳ１０１）、制御部８００は、ＩＤカードのＩＤ情報に基づいて操作員の権限等を確認する。ＩＤカードを読み取らせる代わりに、操作表示部６００を操作してＩＤ情報を入力するようにしてもよい。
【００８７】
その後、操作員は、貨幣処理システム１の操作表示部６００を操作して損券等の入金モードを選択する（ステップＳ１０２）。具体的には、操作表示部６００には、入金モードとして「一枚取り込みモード（投入部１０に一枚ずつ載置された有価媒体を取り込むモード）」、「一括取り込みモード（投入部１０に載置された複数の有価媒体を一枚ずつ順次取り込むモード）」、「再取り込みモード（一旦取り込まれた損券等を取り出して、再び取り込むモード）」という３つのモードが表示され、操作員はこれらの３つのモードのうちから１つのモードを選択する。
【００８８】
その後、操作員が投入部１０に収納対象の媒体、すなわち損券を投入すると、繰出機構１２により損券が有価媒体処理装置５００の機体内に１枚ずつ取り込まれ（ステップＳ１０３）、搬送部１４の第１の搬送部１４ａにより撮像部１６の位置まで搬送され、図１０に示すように撮像部１６により入力画像データが取得される。そして、有価媒体処理装置５００の制御部８０は、機体内に投入された損券や旧券に異常がないかどうかを判別する（ステップＳ１０４）。
【００８９】
損券や旧券に異常（機体内に受け入れられない状態、例えば、斜行や二重送り等の搬送異常）がない場合には（ステップＳ１０４；Ｙｅｓ）、損券や旧券の入力画像データが制御部８０において取得され、記憶部８２等に記憶される（ステップＳ１０７）。そして、異常が無いと判別された損券や旧券は一時保留部２０に搬送され、この一時保留部２０に一時的に保留される（ステップＳ１０８）。
【００９０】
一方、機体内に投入された損券や旧券に異常がある場合には（ステップＳ１０４；Ｎｏ）、この損券や旧券は搬送部１４の第１の搬送部１４ａにより払出部６０に搬送され、機体外に返却される（ステップＳ１０５）。ここで、入金モードを選択する際に一枚取り込みモードが選択されていた場合には（ステップＳ１０６；Ｙｅｓ）、有価媒体処理装置５００における入金動作が終了する。一方、入金モードを選択する際に一枚取り込みモードが選択されておらず、代わりに一括取り込みモードや再取り込みモードが選択されていた場合には（ステップＳ１０６；Ｎｏ）、投入部１０に投入された損券や旧券が繰出機構１２により有価媒体処理装置５００の機体内に１枚ずつ取り込まれて、引き続き各処理が行われる。
【００９１】
ステップＳ１０８で損券や旧券が一時保留部２０に保留されると、該損券の入力画像データが操作表示部６００に表示される（ステップＳ１０９）。ここで、操作員が券面確認を行って券種などの入金データを入力すると（ステップＳ１１０）、入金データ及び画像データが操作表示部６００に表示される（ステップＳ１１１）。また、適合率算出部８０ａは、入力画像データと、対応する券種の正券画像データ８２ａとを用い、適合率を算出する（ステップＳ１１２）。
【００９２】
その後、制御部８０は、入金データの確定操作が行われたか否かを判定する（ステップＳ１１３）。入金データの確定操作が行われなければ（ステップＳ１１３；Ｎｏ）、制御部８０は、入金データを修正する入力を操作員から受け付けたか否かを判定する（ステップＳ１１４）。
【００９３】
入金データを修正する入力が行われたならば（ステップＳ１１４；Ｙｅｓ）、制御部８０は、入金データを修正するとともに、初期値が「無し」である修正履歴を「有り」に更新し（ステップＳ１１６）、ステップＳ１１３に移行する。一方、入金データを修正する入力が行われていなければ（ステップＳ１１４；Ｎｏ）、当該媒体を返却する（ステップＳ１１５）。
【００９４】
ステップＳ１１５の後、若しくは入金データの確定操作が行われた場合（ステップＳ１１３；Ｙｅｓ）、制御部８０は、全ての媒体を処理済であるか否かを判定する（ステップＳ１１７）。未処理の媒体が残っていれば（ステップＳ１１７；Ｎｏ）、ステップＳ１０３に移行し、次の媒体（損券）の取り込みを行う。
【００９５】
全ての媒体を処理済であれば（ステップＳ１１７；Ｙｅｓ）、一時保留部２０に一時保留された全ての媒体を損券収納部４０，４２に搬送して収納し（ステップＳ１１８）、入金データ及び入力画像データを損券入金データ８２ｂに登録することで損券入金データ８２ｂを更新し（ステップＳ１１９）、上記一連の処理が終了する。
【００９６】
＜上位者による承認時の処理手順＞
次に、上位者による承認時の有価媒体処理装置５００の処理手順について説明する。図８は、上位者による承認時の有価媒体処理装置５００の処理手順を示すフローチャートである。
【００９７】
まず、上位者は、自身が所持するＩＤカードをＩＤカードリーダ８１０に読み取らせ（ステップＳ２０１）、制御部８００は、ＩＤカードのＩＤ情報に基づいて上位者の権限等を確認する。ＩＤカードを読み取らせる代わりに、操作表示部６００を操作して上位者のＩＤ情報を入力するようにしてもよい。
【００９８】
その後、制御部８００は、上位者による承認開始操作を受け付け（ステップＳ２０２）、損券入金データ８２ｂから承認対象データを抽出する（ステップＳ２０３）。承認対象データは、損券入金データ８２ｂのうち未承認のデータである。
【００９９】
また、制御部８００は、処理単位の選択を行う（ステップＳ２０４）。処理単位とは、複数の入金画像データを一覧表示しつつ承認操作を受け付ける場合に、一覧表示する入金画像データをどのように決定するかを定めるものである。具体的には、券種、取引、操作員を処理単位として選択することができる。
【０１００】
例えば、承認対象データに複数の取引が含まれる場合に取引を処理単位として選択したならば、同一の取引ＩＤに対応付けられた入金画像データを一覧表示することになる。このとき、同一の取引ＩＤに対応付けられた入金画像データに複数の券種が混在している場合には、券種を下位の処理単位とする。すなわち、取引ＩＤが同一で、かつ券種が同一の入金画像データを一覧表示し、その後、同一の取引ＩＤを有する他の券種の入金画像データを一覧表示する。そして、取引ＩＤが同一の入力画像データの一覧表示が終了した後に、次の取引ＩＤに対応付けられた入金画像データを一覧表示するのである。
【０１０１】
同様に、操作員を処理単位として選択したならば、同一の操作員ＩＤに対応付けられた入金画像データを一覧表示することになる。このとき、同一の操作員ＩＤに対応付けられた入金画像データに複数の券種が混在している場合には、券種を下位の処理単位とする。すなわち、操作員ＩＤが同一で、かつ券種が同一の入金画像データを一覧表示し、その後、同一の操作員ＩＤを有する他の券種の入金画像データを一覧表示する。そして、操作員ＩＤが同一の入力画像データの一覧表示が終了した後に、次の操作員ＩＤに対応付けられた入金画像データを一覧表示するのである。操作員を処理単位とする場合には、取引ＩＤが異なる入力画像データが混在して一覧表示されてもよい。
【０１０２】
券種を処理単位として選択したならば、券種が同一の入金画像データを一覧表示することになる。すなわち、券種が同一の入金画像データを一覧表示し、その後、他の券種の入金画像データを一覧表示する。このとき、異なる取引ＩＤや異なる操作員ＩＤが混在してもよい。
【０１０３】
承認対象データの取引ＩＤが全て同一である、すなわち、１つの取引のみを対象に承認を行う場合には、操作員ＩＤも同一であるので、制御部８０は券種を処理単位として選択する。承認対象データに取引ＩＤの異なるデータが混在している、すなわち、複数の取引を対象に承認を行う場合には、上位者による入力を要求して処理単位を選択すればよい。
【０１０４】
ステップＳ２０４で処理単位を選択した後、表示制御部８０ｂは、処理単位毎に入力画像データを一覧表示する（ステップＳ２０５）。上位者は、一覧表示された入力画像データを確認し、必要に応じて修正入力を行う。表示制御部８０ｂは、上位者の修正入力を受け付けたならば、その修正入力を反映する確認修正処理を行う（ステップＳ２０６）。
【０１０５】
ステップＳ２０６の後、表示制御部８０ｂは、承認対象データを全て処理したであるか否か、すなわち、全ての処理単位について一覧表示を行ったか否かを判定する（ステップＳ２０７）。その結果、一覧表示していない承認対象データが残っているならば（ステップＳ２０７；Ｎｏ）、ステップＳ２０５に移行し、次の処理単位の一覧表示を行う。
【０１０６】
承認対象データを全て処理したならば（ステップＳ２０７；Ｙｅｓ）、表示制御部８０ｂは、上位者による承認操作を受け付けたか否かを判定する（ステップＳ２０８）。承認操作を受け付けていなければ（ステップＳ２０８；Ｎｏ）、表示制御部８０ｂは承認操作を待機する。そして、承認操作を受け付けたならば（ステップＳ２０８；Ｙｅｓ）、承認対象データの上位者承認の項目を「承認済」に変更して損券入金データ８２ｂを更新し（ステップＳ２０９）、処理を終了する。
【０１０７】
＜表示画面の具体例＞
次に、上位者による承認時の画面例について説明する。図９〜図１２は、上位者による承認時の画面例の説明図である。上位者が貨幣処理システム１の操作表示部６００を操作して承認開始操作を行うと、図９に示す券面貨面入力確認画面が表示される。券面貨面入力確認画面は、有価媒体処理装置５００が行った入出金などの処理を一覧表示する画面であり、選択ボタン、取引ＩＤ、通番、処理名、操作員ＩＤ及び上位者承認などの項目を表示する。
【０１０８】
図９（ａ）では、取引ＩＤ「０１２３５７」について、通番「０１１」、処理名「入金」、操作員ＩＤ「Ｂ４０１」、上位者承認「未承認」である状態を示している。また、取引ＩＤ「０１２３５６」について、通番「００２」、処理名「入金」、操作員ＩＤ「Ｂ４５６」、上位者承認「承認済」である状態を示している。通番は、当該取引における有価媒体の個別の処理について付与され、当該取引に含まれる有価媒体の枚数に対応する。また、上位者承認は、取引に含まれる全ての有価媒体について承認が行われた場合に「承認済」となり、承認されていない有価媒体が残っている場合に「未承認」となる。
【０１０９】
上位者は、図９（ａ）の券面貨面入力確認画面から上位者承認「未承認」の取引を選択することになる。図９（ａ）では、上位者が取引ＩＤ「０１２３５７」を選択した状態を示している。なお、上位者が複数の取引を選択して開始ボタンを操作した場合には、処理単位の選択入力を受け付けるサブメニュー画面を表示する。このサブメニューでは、金種、操作員、取引を処理単位として選択可能である。
【０１１０】
図９（ａ）の券面貨面入力確認画面により承認の対象となる取引を選択し、上位者による承認が行われたならば、図９（ｂ）に示すように上位者承認の項目が「承認済」となる。
【０１１１】
図１０は、上位者による承認のための一覧表示画面の具体例である。図１０では、選択された取引に含まれる１１枚の損券のうち、９枚の損券の入力画像データを一覧表示した状態を示している。また、各入力画像データの表示に券種が「Ｄ一万円券」であることを示す表示「Ｄ券：万」と、適合率の表示とを対応付けている。適合率は、券種の確認に利用可能な確認支援情報の一種として用いることができる。図１０では、適合率は数値とインジケータによる表示が行われている。また、数値の大小によりインジケータの色を異ならせている。例えば、適合率が４０％未満であれば赤色、適合率が４０％以上８０％未満であれば黄色、適合率が８０％以上であれば青色などとすればよい。
【０１１２】
また、操作員により券種の修正が行われた入力画像データについては、適合率に変えて「修正有」との表示を行っている。券種の修正が行われたことを示す表示も、券種の確認の必要性を示す情報であるため、確認支援情報の一種となる。
【０１１３】
さらに、有価媒体処理装置５００は、複数の入力画像データのうち、重点的に確認すべき入力画像データについて、他の入力画像データと表示態様を異ならせている。具体的には、適合率が低い入力画像データと、操作員により券種の修正が行われた入力画像データを強調する表示態様としている。
【０１１４】
また、図１０では９枚までの損券について一覧表示することとしており、９枚を超える損券についてはスクロールや画面切換えにより表示可能である。図１０では、９枚を超える損券の表示に対応するため「前へ」ボタンと「次へ」ボタンを設けて画面切換え可能としている。
【０１１５】
また、図１０の一覧表示画面では、「拡大」ボタンと「承認」ボタンを設けている。１又は複数の損券を選択して「拡大」ボタンを操作すると、選択された損券の入力画像データを拡大して表示する拡大表示画面に移行する。「承認」ボタンを操作すると、一覧表示されている損券が全て承認される。なお、一覧表示画面に投入された損券や取引に係る各種データを表示するデータ表示領域をさらに設けてもよい。
【０１１６】
図１１は、損券の拡大表示画面の具体例である。図１１に示すように、拡大表示画面では、損券１枚について入力画像データを表示するとともに、対応する券種の正券画像データを表示する。また、拡大表示画面には、データ表示領域、「戻る」ボタン、「修正」ボタン、「前へ」ボタン、「次へ」ボタン、「承認」ボタンなどが設けられる。
【０１１７】
データ表示領域は、損券や取引に係る各種データを表示する領域であり、図１１では、「処理：入金、取引ＩＤ：０１２３５７、通番：００２／０１１、担当者ＩＤ：Ｂ４０１、入金日時：2016／01／23  １４:０１、券種：Ｄ一万円券、適合率：３０％、修正：無し、ステータス：収納」を表示した状態を示している。
【０１１８】
「戻る」ボタンは、一覧表示画面に戻るために用いられる。「修正」ボタンを操作すれば、データ表示領域に示した各データを修正することができる。「前へ」ボタンと「次へ」ボタンは、拡大表示の対象として選択された複数の損券を切り替えて表示するために用いられる。「承認」ボタンを操作すると、一覧表示画面で表示されていた損券が全て承認される。
【０１１９】
＜表示画面の変形例＞
次に、一覧表示画面の変形例について説明する。図１０に示した一覧表示画面では、適合率を確認支援情報として入力画像データとともに一覧表示する場合を示したが、確認支援情報として正券画像データを用いてもよい。
【０１２０】
図１２は、確認支援情報として正券画像データを用いる一覧表示画面である。図１２に示した一覧表示画面では、確認支援情報として正券画像データを表示し、正券画像データと券種が同一の９枚の損券について入力画面データを一覧表示している。また、各入力画像データの表示に券種が「Ｄ一万円券」であることを示す表示を対応付けている。
【０１２１】
このように、図１２に示した一覧表示画面では、１つの正券画像データと同一券種の複数の入力画像データを一覧表示するので、上位者は正券画像データと入力画像データを比較して確認を行うことができる。
【０１２２】
また、図１２では９枚までの損券について一覧表示することとしており、９枚を超える損券についてはスクロールや画面切換えにより表示可能である。図１２では、９枚を超える損券の表示に対応するため「前へ」ボタンと「次へ」ボタンを設けて画面切換え可能としている。
【０１２３】
また、図１２の一覧表示画面では、「拡大」ボタンと「承認」ボタンを設けている。１又は複数の損券を選択して拡大ボタンを操作すると、選択された損券の入力画像データを拡大して表示する拡大表示画面に移行する。この拡大表示画面は、図１１に示したものを用いればよい。「承認」ボタンを操作すると、一覧表示されている損券が全て承認される。なお、一覧表示画面に投入された損券や取引に係る各種データを表示するデータ表示領域をさらに設けてもよい。
【０１２４】
図１２では、正券画像データを画面上方に配置し、その下に９枚分の損券の入力画像データを配置しているが、画像の配置は任意に設定可能である。例えば、画面中央に正券画像データを配置し、その周囲（上、下、右、左、右上、右下、左上、左下）に８枚分の損券の入力画像データを配置してもよい。このように配置すれば、各入力画像データと正券画像データとの距離が均等になるので、比較確認が容易である。
【０１２５】
＜操作員による確認を行う変形例＞
入力画像データの一覧表示による確認は、上位者の承認時に限らず、入金時に行うことも可能である。図１３は、入金時に一覧表示による確認を行う場合の処理手順を示すフローチャートである。
【０１２６】
まず、操作員は、自身が所持するＩＤカードをＩＤカードリーダ８１０に読み取らせ、制御部８００は、ＩＤカードのＩＤ情報に基づいて操作員の権限等を確認する。このステップは、図７のステップＳ１０１と同様である。この後、全ての媒体を処理済であると判定するまでは、図７に示したステップＳ１１７までと同様であるので説明を省略する。
【０１２７】
全ての媒体を処理済であれば（ステップＳ１１７；Ｙｅｓ）、操作表示部６００の表示制御部８０ｂは、今回入金処理した損券について入力画像データの一覧表示による確認を行うか否かを判定する（ステップＳ３０１）。
【０１２８】
一覧表示による確認を行う場合には（ステップＳ３０１；Ｙｅｓ）、表示制御部８０ｂは、入力画像データを一覧表示する（ステップＳ３０２）。操作員は、一覧表示された入力画像データを確認し、必要に応じて修正入力を行う。表示制御部８０ｂは、操作員の修正入力を受け付けたならば、その修正入力を反映する確認修正処理を行う（ステップＳ３０３）。
【０１２９】
ステップＳ３０３の後、表示制御部８０ｂは、操作員による確認操作を受け付けたか否かを判定する（ステップＳ３０４）。確認操作を受け付けていなければ（ステップＳ３０４；Ｎｏ）、表示制御部８０ｂは、操作員による返却操作を受け付けたか否かを判定する（ステップＳ３０５）。
【０１３０】
その結果、返却操作を受け付けていなければ（ステップＳ３０５；Ｎｏ）、ステップＳ３０４に移行する。一方、返却操作を受け付けたならば（ステップＳ３０５；Ｙｅｓ）、有価媒体処理装置５００は、一時保留部２０に一時保留された全ての媒体を返却して（ステップＳ３０６）、処理を終了する。
【０１３１】
確認操作を受け付けた場合（ステップＳ３０４；Ｙｅｓ）、若しくは一覧表示による確認を行わない場合（ステップＳ３０１；Ｎｏ）、有価媒体処理装置５００は、一時保留部２０に一時保留された全ての媒体を損券収納部４０，４２に搬送して収納し（ステップＳ３０７）、入金データ及び入力画像データを損券入金データ８２ｂに登録することで損券入金データ８２ｂを更新し（ステップＳ３０８）、上記一連の処理が終了する。
【０１３２】
＜上位管理装置を有する構成の変形例＞
次に、上位管理装置を有する構成について説明する。上位者は、操作表示部６００を直接操作して承認処理を行ってもよいが、操作表示部６００と通信接続された上位管理装置を用いて承認処理を行ってもよい。
【０１３３】
図１４は、上位管理装置を有するシステム構成の説明図である。図１４に示した構成では、操作表示部６００の通信部８０２は、例えば上位者の席に設置される上位管理装置１０１０と所定のネットワークを介して接続されている。上位管理装置１０１０は、表示部１０１１、入力部１０１２、通信部１０１３、記憶部１０１４及び制御部１０１５を有する。
【０１３４】
表示部１０１１は、液晶ディスプレイ装置等の表示デバイスである。入力部１０１２は、キーボードやマウス等の入力デバイスである。通信部１０１３は、ローカルネットワーク等を介して操作表示部６００と通信するためのインタフェース部である。
【０１３５】
記憶部１０１４は、ハードディスク装置や不揮発性メモリ等の記憶デバイスであり、正券画像データ１０１４ａ及び損券入金データ１０１４ｂを記憶する。正券画像データ１０１４ａ及び損券入金データ１０１４ｂは、有価媒体処理装置５００から操作表示部６００を介して取得したデータであり、正券画像データ８２ａ及び損券入金データ８２ｂと同様である。
【０１３６】
制御部１０１５は、上位管理装置１０１０の全体を制御する制御部であり、表示制御部１０１５ａを有する。表示制御部１０１５ａは、記憶部１０１４に記憶された複数の損券の入力画像データ及び各損券の券種を、各損券の券種の確認に利用可能な確認支援情報とともに表示部１０１１に一覧表示する処理を行う。表示制御部１０１５ａによる表示制御については、表示制御部８０ｂと同様であるので説明を省略する。
【０１３７】
このように、上位管理装置１０１０を用いて入力画像データの一覧表示、確認支援情報の表示、承認操作の受付を行うこととすれば、上位者は、遠隔操作で承認を行うことができる。また、他の操作員による操作表示部６００の使用と並行して承認を行うことも可能である。
【０１３８】
また、上位管理装置として、上位者が携帯するタブレット端末やスマートホンを使用すれば、出張中の上位者が承認処理を行うことができようになる。
【０１３９】
＜硬貨の種別の確認への適用＞
次に、硬貨の種別の確認を行う硬貨処理装置について説明する。図１５は、硬貨の種別の確認を行う硬貨処理装置９１０の外観を示す斜視図である。図１５（ａ）は、上カバーを閉じた状態の硬貨処理装置９１０の外観を示す斜視図であり、図１５（ｂ）は上カバーを開いた状態の硬貨処理装置９１０の構成を示す斜視図である。
【０１４０】
硬貨処理装置９１０は、現行の流通硬貨以外の特殊硬貨を取り扱う装置であり、具体的には、硬貨として変形貨、汚損貨、記念貨、旧貨等が硬貨処理装置９１０の機体内に投入され、当該硬貨処理装置９１０内に硬貨の種類毎に収納される。このような硬貨処理装置９１０は、略直方体形状からなる筐体９１２を有しており、この筐体９１２には上方に開くことができる上カバー９１４が設けられている。図１５（ｂ）に示すように、操作員は上カバー９１４を上方に開くことにより硬貨処理装置９１０の筐体９１２の内部にアクセスすることができる。
【０１４１】
図１５（ａ）及び図１５（ｂ）に示すように、硬貨処理装置９１０の前面上部には硬貨受入部９２２が設けられている。また、上カバー９１４の前面には入金口９２０が設けられており、操作員はこの入金口９２０を介して硬貨受入部９２２上における筐体９１２の内部にある入金位置９２４に変形貨、汚損貨、記念貨、旧貨等の硬貨を１枚ずつ載置することができる。また、上カバー９１４の前面には入金口９２０の開閉を行う入金扉９２１が設置されており、この入金扉９２１は入金口９２０から横方向にスライド可能である。そして、入金扉９２１が入金口９２０を塞いでいる位置から横方向にスライドして当該入金口９２０を開いたときに、操作員はこの入金口９２０を介して硬貨受入部９２２上における筐体９１２の内部にある入金位置９２４に硬貨を載置することができるようになる。
【０１４２】
図１５（ａ）及び図１５（ｂ）に示すように、硬貨処理装置９１０の筐体９１２内における下部前方には返却貨収納部９５０、損貨収納部９５２及び記念貨収納部９５４からなる３つの硬貨収納部が設けられている。ここで、損貨収納部９５２及び記念貨収納部９５４は、それぞれ、硬貨処理装置９１０の筐体９１２内に投入された硬貨を収納する収納部として機能する。また、返却貨収納部９５０は、硬貨処理装置９１０の筐体９１２内に投入された硬貨の返却を行う際に用いられる。これらの返却貨収納部９５０、損貨収納部９５２及び記念貨収納部９５４は硬貨処理装置９１０の筐体９１２の前面から前方に引き出すことができる。なお、返却貨収納部９５０は施錠されておらず硬貨処理装置９１０の筐体９１２の前面から自由に前方に引き出すことができるが、損貨収納部９５２及び記念貨収納部９５４は施錠されており、それぞれ所定の管理権限を有する操作員のみが解錠を行うことによりこれらの損貨収納部９５２及び記念貨収納部９５４を硬貨処理装置９１０の筐体９１２の前面から前方に引き出すことができる。
【０１４３】
また、硬貨処理装置９１０の筐体９１２内において、硬貨受入部９２２上の入金位置９２４に載置された硬貨の撮像を行うカラーカメラ等の撮像部９６０が配設されている。このような撮像部９６０により、各硬貨収納部（具体的には、返却貨収納部９５０、損貨収納部９５２及び記念貨収納部９５４）に収納される前の硬貨の表面および裏面を撮像して当該硬貨の入力画像データを取得する。
【０１４４】
また、図１６に示すように、硬貨処理装置９１０には、当該硬貨処理装置９１０の各構成要素の制御を行う制御部９８０が設けられている。より詳細には、制御部９８０には、撮像部９６０、硬貨の搬送を行う搬送部９４０、返却貨収納部９５０、損貨収納部９５２、記念貨収納部９５４等がそれぞれ接続されている。そして、制御部９８０は、搬送部９４０に指令信号を送ることにより硬貨の搬送を制御する。また、撮像部９６０により取得された硬貨の入力画像データ等が制御部９８０に送られる。また、制御部９８０は、撮像部９６０により取得された硬貨の表面の入力画像データから当該硬貨の金額等に関する情報を取得できるように、ＯＣＲ（光学文字認識）機能を有している。
【０１４５】
また、図１６に示すように、制御部９８０には、当該制御部９８０に対して操作員が様々な指令を入力するための入力部９８２、各硬貨収納部に収納された貨幣の在高等の様々な情報を表示するための表示部９８４、各硬貨収納部に収納された貨幣の在高等の様々な情報を記憶するための記憶部９８６、各硬貨収納部に収納された貨幣の在高等の様々な情報をレシート等のジャーナルに印字するためのプリンタ９８８、及び上位装置等の外部装置に対して信号の送受信を行う通信部９９０等が接続されている。
【０１４６】
他の操作端末を通信部９９０に接続すると、この操作端末のキーボードやマウス等が入力部９８２として機能し、当該操作端末のモニタ等が表示部９８４として機能する。また、他の態様としては、タッチパネル等の操作表示部を硬貨処理装置９１０の筐体９１２の前面や上面に設置することも可能である。この場合には、タッチパネル等の操作表示部は、入力部９８２及び表示部９８４を兼用するようになる。このように、入力部９８２や表示部９８４は硬貨処理装置９１０の筐体９１２とは別に設けられていてもよく、あるいはこれらの入力部９８２や表示部９８４が硬貨処理装置９１０の筐体９１２の表面に設けられていてもよい。同様に、プリンタ９８８も硬貨処理装置９１０の筐体９１２とは別に設けられていてもよく、あるいは硬貨処理装置９１０の筐体９１２の表面にプリンタ９８８が設けられていてもよい。また、ＯＣＲ（光学文字認識）機能によって金額等を特定できない場合や、誤判定した場合には、入力部９８２等を操作して、投入された特殊硬貨の種別情報（損貨／記念貨／旧貨、金額）が入力される。
【０１４７】
記憶部９８６には、各硬貨収納部に収納された貨幣の在高等に加え、正規の硬貨の画像データである正貨画像データ９８６ａと、投入された損貨の入力画像データや種別情報や適合率などを示す損貨入金データ９８６ｂが記憶される。
【０１４８】
制御部９８０は、適合率算出部９８０ａ及び表示制御部９８０ｂを有する。適合率算出部９８０ａは、撮像部９６０により撮像された入力画像データと、対応する種別の正貨画像データ９８６ａとを用い、損貨の正貨に対する適合度合いを示す適合率を算出する処理部である。
【０１４９】
表示制御部９８０ｂは、記憶部９８６に記憶された複数の損貨の入力画像データ及び各損貨の種別を、各損貨の種別の確認に利用可能な確認支援情報とともに所定の表示部（表示部９８４や接続された他の装置の表示部）に一覧表示する処理を行う。確認支援情報としては、適合率や修正の有無などを用いることができる。
【０１５０】
また、表示制御部９８０ｂは、適合率が所定値以下である入力画像データについては、他の入力画像データと異なる態様で表示制御することができる。同様に、種別の修正が行われた入力画像データについても、他の入力画像データと異なる態様で表示制御することができる。
【０１５１】
また、表示制御部９８０ｂは、一覧表示された複数の損貨の入力画像データのいずれかが選択された場合に、該損貨の詳細情報を表示制御することができる。
【０１５２】
なお、表示制御部９８０ｂは、所定の絞込条件が設定されたならば、記憶部９８６に記憶された複数の損貨の入力画像データ及び各損貨の種別のうち、該絞込条件を満たす損貨の入力画像データ及び該損貨の種別を確認支援情報とともに一覧表示することができる。例えば、所定の種別が絞込条件として設定されたならば、該種別に合致する損貨の入力画像データを表示制御することになる。この他、特定の取引や特定の操作員を指定して絞込条件として用いることができる。
【０１５３】
＜同一券種の一覧表示の変形例＞
これまでの説明では、適合率や正券画像データを確認支援情報として入力画像データとともに一覧表示する場合を示したが、同一券種の入力画像データを抽出して一覧表示すれば、他の券種の損券の入力画像データが誤って混在している場合に、他の入力画像データとの比較で券種の誤りを検知することができる。換言するならば、券種が正しい入力画像データが確認支援情報の一種として機能することになる。
【０１５４】
図１７は、同一券種の入力画像データの一覧表示の具体例である。図１７に示した一覧表示画面では、券種「Ｄ一万円券」が対応付けられた９枚の損券の入力画像データを表示している。この９枚の損券のうち、１枚の券種は正しくは「Ｅ一万円券」であるが、誤って券種「Ｄ一万円券」が対応付けられている。
【０１５５】
このように、図１７に示した一覧表示画面では、同一券種の入力画像データを一覧表示しているので、他と異なる入力画像データが存在すれば、上位者は券種の設定が誤っていることを一目で識別できる。
【０１５６】
なお、一覧表示を行う際に、各入力画像データについて他の入力画像データとの相関値を算定し、相関値が所定値に満たない場合に強調表示を行ってもよい。また、算定した相関値を合わせて表示することとしてもよい。
【０１５７】
また、図１７では９枚までの損券について一覧表示することとしており、９枚を超える損券についてはスクロールや画面切換えにより表示可能である。図１７では、９枚を超える損券の表示に対応するため「前へ」ボタンと「次へ」ボタンを設けて画面切換え可能としている。
【０１５８】
また、図１７の一覧表示画面では、「拡大」ボタンと「承認」ボタンを設けている。１又は複数の損券を選択して拡大ボタンを操作すると、選択された損券の入力画像データを拡大して表示する拡大表示画面に移行する。この拡大表示画面は、図１１に示したものを用いればよい。「承認」ボタンを操作すると、一覧表示されている損券が全て承認される。なお、一覧表示画面に投入された損券や取引に係る各種データを表示するデータ表示領域をさらに設けてもよい。
【０１５９】
上述してきたように、本実施例に係る有価媒体処理装置５００では、投入された損券を撮像部１６により撮像するとともに、撮像された損券の入力画像データと該損券の券種とを対応付けて記憶部８２に記憶させ、所定の操作がなされた場合に、記憶部８２に記憶された複数の損券の入力画像データ及び各損券の券種を、各損券の券種の確認に利用可能な確認支援情報とともに所定の表示部に一覧表示するよう構成したので、損券の券種を効率良く確認することができる。
【０１６０】
また、本実施例では、所定の表示部に一覧表示された複数の損券の入力画像データのいずれかが選択された場合に、該損券の詳細情報を表示制御することができる。
【０１６１】
また、本実施例では、投入された損券の入力画像データと、該損券の券種に対応する正券画像データとに基づいて、適合率を算出し、所定の操作がなされた場合に、記憶部８２に記憶された複数の損券の入力画像データを、各損券の券種及び確認支援情報としての適合率とともに一覧表示することができる。さらに、適合率が所定値以下又は所定値未満である場合に、該適合率に対応する入力画像データを他の入力画像データと異なる態様で表示制御することができる。
【０１６２】
また、本実施例では、損券の券種が操作員により修正されていた場合に、該損券の入力画像データを他の入力画像データと異なる態様で表示制御することができる。
【０１６３】
また、本実施例では、所定の絞込条件が設定された場合に、記憶部８２に記憶された複数の損券の入力画像データ及び各損券の券種のうち、該絞込条件を満たす損券の入力画像データ及び該有価媒体の券種を、該損券の確認に利用可能な確認支援情報とともに一覧表示することができる。
【０１６４】
また、本実施例では、所定の券種が絞込条件として設定された場合に、記憶部８２に記憶された複数の損券の入力画像データ及び各損券の券種のうち、該券種に合致する損券の入力画像データ及び該損券の券種を、該券種の正規な損券の入力画像データとともに一覧表示することができる。
【０１６５】
また、本実施例では、有価媒体処理装置５００と通信可能に接続された上位管理装置１０１０が、撮像部１６により撮像された損券の入力画像データと該損券の券種とを記憶部１０１４に記憶させ、所定の操作がなされた場合に、記憶部１０１４に記憶された複数の損券の入力画像データ及び各損券の券種を、各損券の券種の確認に利用可能な確認支援情報とともに所定の表示部に一覧表示することができる。
【０１６６】
なお、本実施例では、損券や損貨の確認を行う場合を例に説明を行ったが、本発明は損券及び損貨に限定されるものではなく、任意の有価媒体を確認する場合に適用可能である。例えば、偽造の可能性のある偽券や偽貨の確認を行う場合に適用してもよい。
【０１６７】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１６８】
以上のように、本発明に係る有価媒体処理装置、有価媒体処理システム及び有価媒体処理方法は、有価媒体を収納する場合に、操作員によって入力された有価媒体の種別情報を効率良く確認することに適している。
【符号の説明】
【０１６９】
１  貨幣処理システム
１０  投入部
１２、５２ａ〜５２ｄ  繰出機構
１４  搬送部
１６、９６０  撮像部
１８  扉
２０  一時保留部
２０ａ、４２ａ  ドラム
２０ｂ，２０ｃ  テープ
２０ｄ  ゴムローラ
２０ｅ  検知板
２０ｆ  インタラプタ
２０ｇ  出口搬送路センサ
３０  特定有価証券収納部
４０、４２  損券収納部
５０  新券収納部
６０  払出部
６１ａ  シャッタ
６１ｂ  抜き取り検知部
６２  羽根車
６４  簡易識別部
８０、８００、９８０、１０１５  制御部
８０ａ、９８０ａ  適合率算出部
８０ｂ、９８０ｂ、１０１５ａ  表示制御部
８２、８０８、９８６、１０１４  記憶部
８２ａ、１０１４ａ  正券画像データ
８２ｂ、１０１４ｂ  損券入金データ
８４、８０２、９９０、１０１３  通信部
１００  バラ紙幣処理装置
２００  束紙幣処理装置
３００  バラ硬貨処理装置
４００  包装硬貨処理装置
５００  有価媒体処理装置
６００  操作表示部
７００、９８８  プリンタ
８０４  ＲＯＭ
８０６  ＲＡＭ
８１０  ＩＤカードリーダ
９１０  硬貨処理装置
９１２  筐体
９１４  上カバー
９２０  入金口
９２１  入金扉
９２２  硬貨受入部
９２４  入金位置
９４０  搬送部
９５０  返却貨収納部
９５２  損貨収納部
９５４  記念貨収納部
９８２、１０１２  入力部
９８４、１０１１  表示部
９８６ａ  正貨画像データ
９８６ｂ  損貨入金データ
１０１０  上位管理装置
【図１】
2017208020.tif 000003
【図２】
2017208020.tif 000004
【図３】
2017208020.tif 000005
【図４】
2017208020.tif 000006
【図５】
2017208020.tif 000007
【図６】
2017208020.tif 000008
【図７】
2017208020.tif 000009
【図８】
2017208020.tif 000010
【図９】
2017208020.tif 000011
【図１０】
2017208020.tif 000012
【図１１】
2017208020.tif 000013
【図１２】
2017208020.tif 000014
【図１３】
2017208020.tif 000015
【図１４】
2017208020.tif 000016
【図１５】
2017208020.tif 000017
【図１６】
2017208020.tif 000018
【図１７】
2017208020.tif 000019